(57)【要約】【課題】  看板において、フレームへの表示板の取り付けを簡単に行えるものとする。【解決手段】  本願発明に係る看板は、樹脂製の表示板５と、表示板５が取り付けられるフレーム４とを備え、表示板５は表示を有する表示面を備え、表示板５は前記表示面を表示板５の正面とし表示板５の裏面から後方へ延設された延設部を備え、フレーム４は、前記延設部の少なくとも後端側を受容する受容部４２を正面に備え、前記延設部の受容部４２へ受容される部位は、前記延設部の側面へ配置された１つ又は複数の逆鉤部７を備え、逆鉤部７は前記延設部の側面から突出する突出部であると共に前記側面に対し起伏可能な弾力性を有し、受容部４２は、逆鉤部７と当接することにて受容部４２へ差し込まれた前記延設部の脱落を阻止する当たり部４３を備える。【選択図】図２
2019105817.tif 000002
【特許請求の範囲】
【請求項１】
広告等の表示を有する樹脂製の表示板と、前記表示板が取り付けられるフレームとを備えた看板であって、
前記表示板は、前記表示を有する表示面を備え、
前記表示板は、前記表示面を前記表示板の正面とし前記表示板の裏面から後方へ延設された延設部を備えるものであり、
前記フレームは、前記延設部の少なくとも後端側を受容する受容部を正面に備え、
前記延設部の前記受容部へ受容される部位は、前記延設部の側面へ配置された１つ又は複数の逆鉤部を備え、
前記逆鉤部は、前記延設部の側面から突出する突出部であると共に前記側面に対し起伏可能な弾力性を有し、
前記受容部は、前記逆鉤部と当接することにて前記受容部へ差し込まれた前記延設部の脱落を阻止する当たり部を備えた看板。
【請求項２】
突出部である前記逆鉤部の突出端側は、前記受容部内にて前記逆鉤部の基端側よりも前記受容部の入口側に位置し、前記逆鉤部は前記受容部の奥側から前記受容部の入口側に向け前記延設部側面との間隔を漸次広げて斜めに突出する傾斜片であり、
前記当たり部は、逆鉤部の前記突出端と当接することにて前記延設部の脱落を阻止する請求項１記載の看板。
【請求項３】
前記表示板は、前記表示面を備える部位を正面部とし前記延設部を前記正面部の周縁全周から後方へ伸びる側面部とする、箱状のものであり、
前記延設部とは別体に形成され且つ前記延設部へ装着される１つ又は複数のクリップを備え、
前記クリップは、前記延設部の外側面に配置される外片と、前記延設部の内側面に配置される内片と、連結部とを備え、
前記逆鉤部は、前記外片と前記内片の少なくとも何れか一方へ形成されたものであり、
前記連結部が前記外片と前記内片とを連結するものである請求項２記載の看板。
【請求項４】
前記受容部は、前記フレームの正面に設けられた溝であり、当該溝の縁が当該溝の奥よりも窄まることにて前記当たり部を形成しており、
前記延設部の前記受容部へ受容される部位は、前記逆鉤部として、前記外片へ設けられて前記延設部の外側面に配置された外逆鉤部と、前記内片へ設けられて前記延設部の内側面へ配置された内逆鉤部とを備え、
前記当たり部は、前記外逆鉤部と内逆鉤部の少なくとも一方の前記突出端と当接することにて前記延設部の脱落を阻止する請求項３記載の看板。
【請求項５】
前記フレームを保持するベース部材を備え、前記ベース部材が前記フレームを保持することにより前記表示板が前記ベース部材の設けられた位置へ固定されるものであり、
前記ベース部材の正面側には、光源が設けられ、
前記ベース部材の背面側は、建造物の壁面へ固定されるものであり、
前記表示板は、前記光源の光を透過するものであり、
前記外片と内片の夫々は、互いに別体に形成された板片であり、
前記板片は、前記延設部の側面へ沿う基片と、前記基片に連設されて前記延設部の側面から突出する前記逆鉤部とを備え、
前記連結部として前記基片には前記延設部の側面を臨む面から突出する突起と受け部とが形成されており、
前記受け部は、前記基片を貫通する穴又は基片の前記延設部を臨む面に設けられた凹部であり、
前記延設部は、内側面から外側面へ貫通する孔を、前記クリップの装着される各位置へ少なくとも２つづつ備え、
前記孔の一方へ外片の前記突起が通されて内片の前記受け部へ強制的に嵌められ、且つ、前記孔の他の一方へ内片の前記突起が通されて外片の前記受け部へ強制的に嵌められることにて、前記外片と前記内片とは連結され且つ前記クリップは前記延設部へ装着されたものであることを特徴とする請求項４記載の看板。
【発明の詳細な説明】
【技術分野】
【０００１】
本発明は、看板に関する。
【背景技術】
【０００２】
店舗などの商業施設や駅などの公共施設において、建物の壁面へ内照式看板を設け、店舗名や案内の表示、或いは商品などの広告の表示を行うことが一般的に行われている。
コンビニエンスストアを例に採ると、店舗の軒などへ設けて広告や店名を表示する内照式看板が普及している。
内照式看板は、上記表示の付されたプラスチック製の表示板を蛍光灯やＬＥＤ（発光ダイオード）といった光源にて看板内側から照らし、当該表示板を透過する光にて上記表示を目立たせる（特許文献１及び２）。
【０００３】
特許文献１及び２へ示す内照式看板は、前記広告などの表示が設けられた表示板と、建物の壁面へ固定されたベース部材と、ベース部材と共に前記壁面へ配置された上記光源と、前記表示板を嵌められるものであって前記ベース部へ取り付けられるフレームとを備える。
【０００４】
特に、上記フレームへの表示板の取り付けは、特許文献２の図１２へ示す通り、前記フレームに沿って左右横方向へ伸びる溝へ、当該溝の端部から、表示板を差し込むのが一般的であった。
【先行技術文献】
【特許文献】
【０００５】
【特許文献１】特許第４１３５８２１号公報
【特許文献２】実開平７−８８８２号公報
【発明の概要】
【発明が解決しようとする課題】
【０００６】
このため、表示板のフレームへの取り付けは簡単に行えるというものではなく、フレームの左右一方を開放し、横方向から順次表示板を差し込んで行くという面倒な作業を強いられた。
そこで本発明は、上記フレームへの表示板の取り付けを簡単に行えるものとして上記問題の解決を図る。
【課題を解決するための手段】
【０００７】
本発明は、広告等の表示を有する樹脂製の表示板と、前記表示板が取り付けられるフレームとを備えた看板において次の構成を採るものを提供する。
即ち、前記表示板は、前記表示を有する表示面を備え、前記表示板は、前記表示面を前記表示板の正面とし前記表示板の裏面から後方へ延設された延設部を備えるものであり、前記フレームは、前記延設部の少なくとも後端側を受容する受容部を正面に備え、前記延設部の前記受容部へ受容される部位は、前記延設部の側面へ配置された１つ又は複数の逆鉤部を備え、前記逆鉤部は、前記延設部の側面から突出する突出部であると共に前記側面に対し起伏可能な弾力性を有し、前記受容部は、前記逆鉤部と当接することにて前記受容部へ差し込まれた前記延設部の脱落を阻止する当たり部を備える。
尚、上記広告等の表示には、広告の他、店舗その他の施設名や、各種案内表示を含む。
また本発明では、突出部である前記逆鉤部の突出端側は、前記受容部内にて前記逆鉤部の基端側よりも前記受容部の入口側に位置し、前記逆鉤部は前記受容部の奥側から前記受容部の入口側に向け前記延設部側面との間隔を漸次広げて斜めに突出する傾斜片であり、前記当たり部は、逆鉤部の前記突出端と当接することにて前記延設部の脱落を阻止する看板を提供できた。
更に本発明では、前記表示板は、前記表示面を備える部位を正面部とし前記延設部を前記正面部の周縁から後方へ伸びる側面部とする、箱状のものであり、前記延設部とは別体に形成され且つ前記延設部へ装着される１つ又は複数のクリップを備え、前記クリップは、前記延設部の外側面に配置される外片と、前記延設部の内側面に配置される内片と、連結部とを備え、前記逆鉤部は、前記外片と前記内片の少なくとも何れか一方へ形成されたものであり、前記連結部が前記外片と前記内片とを連結するものである看板を提供できた。
また更に本発明では、前記受容部は、前記フレームの正面に設けられた溝であり、当該溝の縁が当該溝の奥よりも窄まることにて前記当たり部を形成しており、前記延設部の前記受容部へ受容される部位は、前記逆鉤部として、前記外片へ設けられて前記延設部の外側面に配置された外逆鉤部と、前記内片へ設けられて前記延設部の内側面へ配置された内逆鉤部とを備え、前記当たり部は、前記外逆鉤部と内逆鉤部の少なくとも一方の前記突出端と当接することにて前記延設部の脱落を阻止する看板を提供できた。
更にまた本発明では、前記フレームを保持するベース部材を備え、前記ベース部材が前記フレームを保持することにより前記表示板が前記ベース部材の設けられた位置へ固定されるものであり、前記ベース部材の正面側には、光源が設けられ、前記ベース部材の背面側は、建造物の壁面へ固定されるものであり、前記表示板は、前記光源の光を透過するものであり、前記外片と内片の夫々は、互いに別体に形成された板片であり、前記板片は、前記延設部の側面へ沿う基片と、前記基片に連設されて前記延設部の側面から突出する前記逆鉤部とを備え、前記連結部として前記基片には前記延設部の側面を臨む面から突出する突起と受け部とが形成されており、前記受け部は、前記基片を貫通する穴又は基片の前記延設部を臨む面に設けられた凹部であり、前記延設部は、内側面から外側面へ貫通する孔を、前記クリップの装着される各位置へ少なくとも２つづつ備え、前記孔の一方へ外片の前記突起が通されて内片の前記受け部へ強制的に嵌められ、且つ、前記孔の他の一方へ内片の前記突起が通されて外片の前記受け部へ強制的に嵌められることにて、前記外片と前記内片とは連結され且つ前記クリップは前記延設部へ装着されたものである看板を提供できた。
尚、上記建造物には、ビルや家屋に代表される、居住、営業、工場、倉庫、車庫などの目的で利用される土地に定着した所謂建物を含む他、橋脚や堤防などの構造物、モニュメントなどの構造物以外の設置物を含む。
【発明の効果】
【０００８】
本発明では、看板を設ける位置へ上記フレームを設置した後に、上記表示板をフレームの正面側から上記フレームへ押し込むことにてフレームへ上記表示板を嵌め込むことができる。即ち、本発明は、従来のフレームの左右一方を開放し横方向から順次表示板を際し込んで行くという面倒な作業を不要とし、表示板を簡単にフレームへ取り付けできるものとした。
【０００９】
具体的には、表示板をフレーム正面へ押し付けることにて、フレームの正面側からフレームの受容部へ上記延設部の後端を差し込むことができる。差し込みに際して逆鉤部は弾力性により延設部側面へ伏した状態とされて受容部の上記当たり部を通り抜けることができる。当たり部を通過した逆鉤部は上記弾力性にて上記延設部側面に対し元の起立した状態を復元し、当たり部に邪魔され受容部から抜け出ることができなくなる。従って、上記の通り表示板を簡単に表示板の枠となるフレームへ取り付けることができると共に一旦取り付けた後は表示板を簡単にフレームから外れないものとした。
また、正面側から表示板をフレームへ嵌めるものであるため、表示板が矩形でない場合も簡単にフレームへ表示板を装着することができ、フレームを含めた看板のデザインの自由度を高めた。
特に受容部内へ挿入後逆鉤部の突出端側が受容部の入口側に向けて斜めに突出する即ち受容部に対する延設部の差込方向に向け窄まるように予め逆鉤部を形成しておくことにより、受容部への挿入時当たり部を通り抜ける際に逆鉤部を円滑に撓ませることができ、受容部に対する延設部の差込をスムーズに行うことができる。
【００１０】
また、従来のフレームの左右一方から順次横方向へ表示板を差し込んで行くものについて、例えば特許文献１の図２の表示板５の上下の鍔状部分や特許文献２の図１の広告表示部１１の上下の鍔状部分や同図７の広告表示部１１の上下の縁付近に対し、当該縁の部分を押さえるフレームの上片（上横部材）と下片（下横部材）は、押さえ代（しろ）として比較的大きな上下幅を看板正面側へ露呈するものであった。
一方本発明において、表示板を正面部の全周から後方へ延設部が伸びる箱とし、当該延設部の後端側をフレーム正面側を入口とする受容部へ差し込むことで、上記箱の内側へフレームの正面の多くを隠すことができ、延設部の厚みや逆鉤部を収容する受容部の上下の幅を考慮しても、上記従来のフレームほど看板の正面側へフレームを露出させずに済む。従って、フレームの看板正面へ現れる部位を目立たせずにおくことができ、看板のデザインをすっきりさせることが可能となった。
【００１１】
また、本発明では、上記延設部と別体に形成されたクリップを装着することによって、延設部へ上記逆鉤部を設けることができ、表示板の抜け止めとなる上記逆鉤部を表示板の成形時に表示板へ賦形する必要がない。従って、本発明は、上記逆鉤部を表示板の成形時に表示板へ賦形するものに比べて表示板の設計の自由度が高い。
特に、樹脂成型される表示板の側面部内面へ逆鉤部を成形するのは型抜き上困難であるが、延設部即ち上記側面部と別体のクリップの装着にて側部の内面側にも容易に逆鉤部を配置しておくことができる。
更に、本発明では、弾力性を備えた外逆鉤部と、延設部を挟んで当該外逆鉤部の反対側へ突出する内逆鉤部の双方により、受容部内側を押さえるものとすることにて延設部の位置を安定させ、フレームに対し表示板のがたつきを抑制した。
更に、本発明では、外片と内片の何れもが結合部を構成する突起と受け部とを備えるものとすることにて、上記クリップを構成する外片と内片とには夫々同じ部材を採用でき、外片と内片夫々専用のものを用意する必要がない。
【図面の簡単な説明】
【００１２】
【図１】本発明の一実施の形態に係る看板の全体斜視図。
【図２】（Ａ）は図１へ示す看板の正面図、（Ｂ）は（Ａ）のＸ−Ｘ断面図。
【図３】図１へ示す看板の分解斜視図。
【図４】図１へ示す看板のベース部材を除いた斜視図。
【図５】図１へ示す看板が備える表示板の要部の１つ（一点鎖線）において、クリップを分解状態にして示す前記表示板の斜視図。
【図６】（Ａ）は図５へ示すクリップの平面図、（Ｂ）は（Ａ）のクリップの正面図、（Ｃ）は（Ａ）のクリップの底面図、（Ｄ）は（Ａ）のクリップの斜視図、（Ｅ）は（Ａ）のクリップの側面図。
【図７】図５の要部（一点鎖線）の拡大斜視図。
【図８】ベース部材を除いて図２（Ｂ）の上部を拡大した一部切欠断面図。
【図９】図３の要部を拡大した一部切欠斜視図。
【発明を実施するための形態】
【００１３】
以下、図面に基づき本願発明の実施の形態について説明する。
特にコンビニエンスストアの軒の壁面ｍに設けられる内照式看板について、本発明を実施した例を示す。
【００１４】
（基本構成）
この看板１は、上記壁面ｍへ取り付けられた光源２と、上記壁面ｍへ取り付けられたベース部材３と、ベース部材３へ保持されるフレーム４と、フレーム４へ取り付けられる表示板５と、複数のクリップ６とを備える（図１、図２（Ｂ）及び図３）。
【００１５】
（光源２）
光源２には、ＬＥＤ（発光ダイオード）を用いることができる（図２（Ｂ））。この例では、光源２であるＬＥＤのユニットは、ＬＥＤへ電気を供給する電源装置（図示しない。）と共に、直接壁面ｍへ設けられている。
尚、光源２は、上記ＬＥＤに限定するものではなく、蛍光灯その他の放電管や電球を採用するものとしてもよい。
【００１６】
（ベース部材３）
ベース部材３は、背面側を建造物の壁面へ固定され、正面側にフレーム４を保持する部材である（図１、図２（Ｂ）及び図３）。
この例では、ベース部材３は、夫々左右横方向へ伸びる、上ベース材３１と下ベース材３２とにて構成されている（図１及び図３）。上記壁面ｍにおいて、下ベース材３２は、上ベース材３１の下方へ上ベース材３１から間隔を開けて配置されている（図２（Ｂ））。
上ベース材３１と下ベース材３２の夫々は、棒材である。上ベース材３１と下ベース材３２の夫々には、金属製の角パイプを採用することができる。上ベース材３１と下ベース材３２の夫々は、ボルトなどの周知の固定手段により上記壁面ｍへ固定される。
上ベース材３１と下ベース材３２との間に介在部材として、縦に配された棒材や、板状体を設けて、下ベース材３２を上ベース部材３１と一体にしてもよい。また、上記介在部材へ光源２を取り付けて、ベース部材３へ光源２を備えるものとしてもよい。
【００１７】
（フレーム４）
フレーム４は、上下２本の棒状の横部材と左右２本の棒状の縦部材とにより構成された、正面視横長の長方形の枠体である（図１、図２（Ｂ）及び図３）。詳しくは、フレーム４は、左右横方向へ伸びる上横部材４１ａ及び下横部材４１ｂと、上下縦方向へ伸びる左縦部材４１ｃ及び右縦部材４１ｄとを備える。下横部材４１ｂは、上横部材４１ａから間隔を開けて上横部材４１ａの下方に配置される。
フレーム４の正面視において、左縦部材４１ｃは上横部材４１ａ及び下横部材４１ｂの左側に位置し上横部材４１ａの左端と下横部材４１ｂの左端とを繋ぐ。また右縦部材４１ｄは上横部材４１ａ及び下横部材４１ｂの右側に位置し上横部材４１ａの右端と下横部材４１ｂの右端とを繋ぐ。
【００１８】
詳しくはフレーム４の４つのコーナーの夫々に、コーナー接続部材４４が設けられている（図１、図３及び図４）。コーナー接続部材４４は、左右の縦部材４１ｃ，４１ｄを上下の横部材４１ａ，４１ｂへ連結するジョイントである。
フレーム４の正面視において、左上のコーナーに配置されるコーナー接続部４４は上横部材４１ａの左端と左縦部材４１ｃの上端とを接続し、右上のコーナーに配置されるコーナー接続部４４は上横部材４１ａの右端と右縦部材４１ｄの上端とを接続し、左下のコーナーに配置されるコーナー接続部４４は下横部材４１ｂの左端と左縦部材４１ｃの下端とを接続し、右下のコーナーに配置されるコーナー接続部４４は下横部材４１ｂの右端と右縦部材４１ｄの下端とを接続する。
【００１９】
フレーム４は、後述する表示板５の延設部（側面部５１）の後端側を受容する受容部４２を備える。受容部４２はフレーム４の正面側に入口を開口する。
この例では受容部４２は、上横部材４１ａ、下横部材４１ｂ、左縦部材４１ｃ及び右縦部材４１ｄの正面側に設けられた溝である。
【００２０】
フレーム４の上記各部の構成についてより具体的に説明する。
上記の、上横部材４１ａ、下横部材４１ｂ、左縦部材４１ｃ及び右縦部材４１ｄの夫々は、アルミニウムの押出成型にて形成された中空のアルミ製の角材である。
上横部材４１ａと下横部材４１ｂと左縦部材４１ｃと右縦部材４１ｄの夫々は、骨部４５と受容部構成部４６とにて構成されている（図２（Ｂ）、図８及び図９）。
上横部材４１ａと下横部材４１ｂにおいて、骨部４５は、（左右）両端が開口して開口部をなす中空のパイプ状の部材である。左縦部材４１ｃと右縦部材４１ｄにおいて、骨部４５は、（上下）両端と共に前面側が開放されたレール状の部材である。但し、左縦部材４１ｃと右縦部材４１ｄの骨部４５も、上横部材４１ａと下横部材４１ｂと同様のパイプ状の部材とすることができる。
上横部材４１ａ、下横部材４１ｂ、左縦部材４１ｃ及び右縦部材４１ｄにおいて受容部構成部４６は上記受容部４２を提供する部材である。受容部構成部４６は、骨部４５に連設され骨部４５の長手方向に沿って伸びる樋状の部分であり、樋状の受容部構成部４６の両端は開放された開放部である。言い換えると上記の受容部４２は受容部構成部４６の備える溝である。
この例では上横部材４１ａと下横部材４１ｂとにおいて、左右横方向へ伸びる上記溝の上下両縁間の間隔が当該溝の奥側よりも狭まっており、後述する当たり部４３を構成する。即ち上記溝の両縁が互いに近接するように隆起し、隆起する両縁の夫々が当たり部４３を構成する。当たり部４３である上記溝の両縁が後述する逆鉤部７の脱落を防止する。
上横部材４１ａと下横部材４１ｂの有する上記受容部構成部４６の夫々は、フレーム４の背面側へ突出する取付部４７を備える。取付部４７は上横部材４１ａと下横部材４１ｂの長手方向に沿って左右に伸びる板状の隆起部分である。また上横部材４１ａの上縁と下横部材４１ｂの下縁は、看板の正面側へ突出する庇部４８を備える（図２（Ｂ））。
【００２１】
この例では、上横部材４１ａと下横部材４１ｂの骨部４５は断面略ロ字状の角パイプであり、左縦部材４１ｃと右縦部材４１ｄの骨部４５は断面略コ字状のチャンネル材（溝形材）である。
また上横部材４１ａ、下横部材４１ｂ、左縦部材４１ｃ及び右縦部材４１ｄにおいて受容部構成部４６は骨部４５から貼り出す断面略Ｌ字状の部分であり、受容部構成部４６は骨部４５の上記ロの字又は上記コの字の一辺を含めて断面視略コの字又はＣの字を呈する（図８）。
上記の通り当たり部４３を有する上横部材４１ａ及び下横部材４１ｂ夫々の受容部構成部４６は断面視略Ｃ字状を呈する。一方当たり部４３を備えない左縦部材４１ｃ及び右横部材４１ｄ夫々の受容部構成部４６は断面視略コ字状を呈する（図９）。
詳しくは、正面視矩形のフレーム４において、上横部材４１ａと下横部材４１ｂと左縦部材４１ｃと右縦部材４１ｄの各骨部４５が上記コーナー接続部４４によりフレーム４の正面視において矩形を呈するように接続される。当該矩形の外側に位置するように上記受容部構成部４６は配置され、上記Ｃ字及びコ字の間欠部分をフレーム４の正面側へ向ける。即ち当該間欠部分が、表示板５の後述する延設部を受け入れる受容部４２の入口となる。
またこの例の左縦部材４１ｃ及び右縦部材４１ｄにおいては受容部構成部４６の上記溝はチャンネル材である骨部４５の呈する溝と並行する溝である（図９）。
【００２２】
コーナー接続部４４の夫々は、上記フレーム４の四隅の何れかに配置されてフレーム４のコーナーをなすコーナーブロック４４ａと、コーナーブロック４４ａの左右一方から横方向へ突出する横挿入部４４ｂと、コーナーブロック４４ａの上下一方から縦方向へ突出する縦挿入部４４ｃと、角枠構成部４４ｄとにて構成されている（図９）。角枠構成部４４ｄは、コーナーブロック４４ａと一体に形成されたものである。横挿入部４４ｂと縦挿入部４４ｃの夫々は棒状の突出部である。また角枠構成部４４ｄは、フレーム４の上下の横部材４１ａ，４１ｂの受容部４２の上記溝と左右の縦部材４１ｃ，４１ｄの受容部４２の上記溝とを連絡する、直角に曲がった溝を提供する。即ち角枠構成部４４ｄは、上記横部材４１ａ，４１ｂと上記縦部材４１ｃ，４１ｄの交差位置において、樋状の上記横部材４１ａ，４１ｂと樋状の上記縦部材４１ｃ，４１ｄとを繋ぐ樋状の部分である。
【００２３】
フレーム４の正面視において図３及び図９へ示す通り、左上のコーナーに配置されるコーナー接続部４４に関し、横挿入部４４ｂは上横部材４１ａの骨部４５左端の開口部に挿入されて上横部材４１ａへ螺子止めされ、縦挿入部４４ｃは左縦部材４１ｃの骨部４５上端の開放部へ挿入されて左縦部材４１ｃへ螺子止めされる。
また、右上のコーナーに配置されるコーナー接続部４４に関し、横挿入部４４ｂは上横部材４１ａの骨部４５右端の開口部に挿入されて上横部材４１ａへ螺子止めされ、縦挿入部４４ｃは右縦部材４１ｄの骨部４５上端の開放部へ挿入されて右縦部材４１ｄへ螺子止めされる（図９）。
また、左下のコーナーに配置されるコーナー接続部４４に関し、横挿入部４４ｂは下横部材４１ｂの骨部４５左端の開口部に挿入されて下横部材４１ｂ螺子止めされ、縦挿入部４４ｃは左縦部材４１ｃの骨部４５下端の開放部へ挿入されて左縦部材４１ｃへ螺子止めされる。
また、右下のコーナーに配置されるコーナー接続部４４に関し、横挿入部４４ｂは下横部材４１ｂの骨部４５右端の開口部に挿入されて下横部材４１ｂへ螺子止めされ、縦挿入部４４ｃは右縦部材４１ｄの骨部４５下端の開放部へ挿入されて右縦部材４１ｄへ螺子止めされる。
尚、確実に固定できることを前提として、コーナー接続部材４４をフレーム４の各部材へ力嵌めするものとしてもよく、更には、個々のコーナー接続部４４の縦横の挿入部４４ｂ，４４ｃの一方を上記螺子止めし挿入部４４ｂ，４４ｃの他の一方を上記力嵌めするものとしてもよい。
【００２４】
ベース部材３によるフレーム４の保持に関し、この例では、フレーム４の上横部材４１ａが蝶番８にて上ベース材３１へ取り付けられている。蝶番８は上横部材４１ａの上記取付部４７の上面と上ベース材３１の上面と固定される（図２（２）及び図８）。
光源２のメンテナンス時など、ベース部材３に対し図２（Ｂ）の白抜き矢印の方向へ表示板５を保持するフレーム４を開くことができる。図２（Ｂ）において、図示は省略するが、下ベース部材３２に対し下横部材４１ｂは螺子やボルトなどの周知の固定具にて固定されており、フレーム４の上記開放時は、当該固定具を外して上記蝶番８を中心にフレーム４を上方へ開くことができる（図２（Ｂ））。詳しくは、下横部材４１ｂの取付部４７と下フレーム材３２とに上記固定具が通されており、当該固定具を取り外すことによって、下横部材４１ｂを自由端とし上記蝶番８を中心にフレーム４を回転させることができる。
但し、蝶番８を用いずに螺子止めにてフレーム４の上横部材４１ａを上ベース材３１へ取り付けることで、螺子の取外しによりメンテナンス時にフレーム４をベース部材３から完全離脱するものとしてもよい。
また、図示は省略するが、左縦部材４４ｃと右縦部材４４ｄとの間において、上横部材４４ａと下横部材４４ｄとへ補強部材を渡して、フレーム４を補強してもよい。前記補強部材には、棒材又は板材を採用することができる。補強部材は、上横部材４４ａと左縦部材４４ｃの間、上横部材４４ａと右縦部材４４ｄとの間、左縦部材４４ｃと下横部材４４ｂとの間、右縦部材４４ｄと下横部材４４ｂとの間の夫々へ斜めに渡すものとしてもよい。但しフレーム４の補強が不要であれば、上記補強部材を設けずに実施すればよい。
【００２５】
（表示板５）
表示板５は、光源２の光を透過する樹脂製の板である。
ベース部材３がフレーム４を保持することにより、表示板５はベース部材３の設けられた位置へ固定され、光源２の正面側を覆う（図２（Ｂ））。
表示板５は、この例では、正面視において横長の略長方形に象られたものである。表示板５は、広告等の表示を備える表示面を正面とする板状の正面部５０と、正面部５０の背面側から後方へ延設された延設部とを備える。
表示板５は、前記延設部を正面部５０の周縁全周から後方へ伸びる側面部５１として後方へ開口する、箱状のものである。即ち、側面部５１は、正面部５０の上辺から後方へ延設された上側面部５１ａと、正面部５０の下辺から後方へ延設された下側面部５１ｂと、正面部５０の左辺から後方へ延設された左側面部５１ｃと、正面部５０の右辺から後方へ延長された右側面部５１ｄとにて構成されている（図１、図２（Ｂ）、図３、図４及び図５）。
【００２６】
表示板５において、前述の通り延設部即ち側面部５１の後端側が、フレーム４の受容部４２へ差し込まれる。即ち、上側面部５１ａの後端側はフレーム４の上横部材４１ａの受容部４２である溝へ挿入され、下側面部５１ｂの後端側はフレーム４の下横部材４１ｂの受容部４２である溝へ挿入され、左側面部５１ｃの後端側はフレーム４の左横部材４１ｃの受容部４２である溝へ挿入され、右側面部５１ｄの後端側はフレーム４の右横部材４１ｄの受容部４２である溝へ挿入される。
フレーム４の上横部材４１ａと左横部材４１ｃと下横部材４１ｂと右横部材４１ｄの各溝は繋がっており、連続する表示板５の上側面部５１ａと左側面部５１ｃと下側面部５１ｂと右側面部５１ｄの夫々を支障なく受容することができる。
尚左横部材４１ｃと右横部材４１ｄの夫々において縦に伸びる溝（受容部４２）の左右の幅は、左右横長の長方形である樹脂製の表示板５の温度変化による長手方向の伸縮を考慮して、表示板５の左側面部５１ｃと右側面部５１ｄの位置の変化に対応できる余裕を備えたものとする。
【００２７】
この例では、上側面部５１ａと下側面部５１ｂの夫々へクリップ６が装着される（図２（Ｂ）、図３、図５、図７及び図８）。
上側面部５１ａと下側面部５１ｂにおいてクリップ６の装着される各位置に２つの孔５２が設けられている（図７）。孔５２は、上側面部５１ａと下側面部５１ｂにおいて内側面から外側面へ貫通する貫通孔である。クリップ６の装着される上側面部５１ａと下側面部５１ｂの各位置において、２つの孔５２の一方は他の一方の孔５２に対し、表示板５の左右横方向に間隔を開けて設けられている。
この例では、クリップ６は、上側面部５１ａの４箇所と、下側面部５１ｂの４箇所に設けられており、上記孔５２は、上側面部５１ａに合計８個、下側面部５１ｂに合計８個設けられている。
尚、孔５２は、上側面部５１ａ及び下側面部５１ｂの夫々において、上記８個以上設けてクリップ６の配置位置を選択できるものとしてもよい。
【００２８】
（クリップ６）
クリップ６は、表示板４と別体に形成されたものであり、上記の通り表示板４の延設部（側面部５１）へ装着される。具体的には、クリップ６は表示板５の上記延設部即ち上側面部５１ａと下側面部５１ｂにおいて、上記受容部４２へ受容される部位に装着される。
詳しくは、クリップ６の夫々は、外片６１と内片６２と連結部６３とにて構成される。外片６１と内片６２とは、互いに別体に形成された板片である（図６及び図７）。
図２（Ｂ）へ示す通り、表示板５の上側面部５１ａへ装着されたクリップ６において、上側面部５１ａの上面へ外片６１が配置され上側面部５１ｂの下面へ内片６２が配置される。また下側面部５１ｂへ装着されたクリップ６において、下側面部５１ｂの下面へ外片６１が配置され下側面部５１ｂの上面へ内片６２が配置される。
【００２９】
外片６１と内片６２の夫々は、板状の基片６４と、基片６４に設けられた２つの出張部６７と、出張部６７に延設された逆鉤部７とにて構成されている（図６（Ａ）〜（Ｅ））。
上記側面部５１の受容部４への差し込む方向を前方Ｆとすると、出張部６７は基片６４の左右側辺から基片６４の左右へ突出する小片であり、逆鉤部７の夫々は各出張部６７の後端から後方へ向けて延設された板片である図６（Ａ）（Ｃ）（Ｅ））。図６において６４ａは基片６４の前端を示し、６４ｂは基片６４の後端を示す。ここでは、側面部５１の上記の差し込む方向を前方Ｆとしたので、基片６４の前後は、上記延設部（側面部５１）の前後と逆になる。
【００３０】
連結部６３は、基片６４に設けられた突起６５と受け部６６とにて構成されている（図６（Ａ）〜（Ｅ）及び図７）。
受け部６６は、基片６４を貫通する穴若しくは基片６４の上記側面部５１を臨む面に設けられた凹部である。この例では、受け部６６は、基片６４へ設けられた上記貫通穴である。
側面部５１の上記孔５２の一方へ外片６１の突起６５を通して内片６２の受け部６６へ強制的に嵌めると共に、上記孔５２の他の一方へ内片６２の突起６５を通して外片６１の受け部６６へ強制的に嵌めることにて、外片６１と内片６２とを連結して一体とし、尚且つ外片６１と内片６２とをクリップ６として側面部５１へ装着することができる。
【００３１】
上記外片６１と内片６２の連結により、図２（Ｂ）へ示す通り、表示板５の上側面部５１ａへ装着されるクリップ６において、上側面部５１ａの上面へ外片６１が配置され上側面部５１ｂの下面へ内片６２が配置される。また下側面部５１ｂへ装着されるクリップ６において、下側面部５１ｂの下面へ外片６１が配置され下側面部５１ｂの上面へ内片６２が配置される。
詳しくは、外片６１と内片６２の連結により、外片６１において基片６４が側面部５１の外面（外側面）に沿うように配置され、内片６２において基片６４が側面部５１の内面（内側面）に沿うように配置される。表示板５の上側面部５１ａへ装着されたクリップ６において、上側面部５１ａの上面へ外片６１の基片６４が沿い、上側面部５１ｂの下面へ内片６２の基片６４が沿うのである。また下側面部５１ｂへ装着されたクリップ６において、下側面部５１ｂの下面へ外片６１の基片６４が沿い、下側面部５１ｂの上面へ内片６２の基片６４が沿う。
外片６１の逆鉤部７は外逆鉤部７１として側面部５１の外側へ配置され、内片６２の逆鉤部７は内逆鉤部７２として側面部５１の内側へ配置される。
この例では、クリップ６は、樹脂にて形成されている。逆鉤部７の夫々は、基片６４に対し斜めに起立する傾斜片である。逆鉤部７の夫々は、力を加えることによって側面部５１（上側面部５１ａ又は下側面部５１ｂ）へ向けて伏し且つ当該力を除くことで元の起立状態を復元することが可能な弾力性を備える（図２（Ｂ）、図３、図５〜図８）。
【００３２】
この例では、上記クリップ６の側面部５１への装着により、側面部５１の受容部４２へ受容される部位について、側面部５１の外面（外側面）と内面（内側面）の双方に２つの逆鉤部７を設けることができる。また上記クリップ６の側面部５１への装着によって、逆鉤部７を当該側面部５１の側面から斜めに突出し且つ側面部５１に対し起伏可能な弾力性を有する突出部として当該側面部５１へ設けることができるのである。
側面部５１をフレーム４の受容部４２へ挿入しクリップ６を受容部４２に配置した状態おいて、突出部である逆鉤部７の突出端（自由端）側は、逆鉤部７の基端側よりも受容部４２の入口側に位置し、逆鉤部７は受容部４２の奥側から受容部４２の入口側に向け側面部５１側面との間隔を漸次広げて斜めに突出する上記傾斜片をなすように構成されている。
尚個々のクリップ６は、側面部５１の外面と内面の夫々に対し２つの逆鉤部７を配置するものに限定するものではなく、１つ又は３つ以上の逆鉤部７を外片６１と内片６２の夫々に備えるものとしてもよい。また外片６１と内片６２の逆鉤部７の数は同数に限定するものではなく、外片６１の逆鉤部７の数と内片６２の逆鉤部７の数は異なるものであってもよい。
また前述の通り、側面部５１は、上記孔５２を、クリップ６の装着される各位置へ突起６５の数と同数以上備えるものとすればよい。
【００３３】
（フレーム４への表示板５の取り付け）
先ず、店舗等の建物の壁面ｍに据え付けられた上記ベース部材３へフレーム４を取り付けておく。一方表示板５にはクリップ６を取り付けておく。
そしてベース部材３へ保持されたフレーム４の正面側から表示板５の側面部５１をフレーム４の受容部４２である前述の溝に差し込み表示板５を壁面ｍのフレーム４に向けて押し込む。
上記押し込みにより各クリッブ６の上下（内外）の両逆鉤部７は、上横部材４１ａ及び下横部材４１ｂの備える受容部４２入口上下の当たり部４３の先と当たり伏し状態となる。逆鉤部７は当該伏し状態にて当たり部４３を潜り抜け受容部４２内へ挿入される。クリップ６の受容部４２への挿入後逆鉤部７は元の起立状態を復元し、表示板５が上記押し込みの方向と逆方向へ即ち側面部５１が上記の差し込みの方向と逆方向へ戻ろうとすると、起立状態を復元した逆鉤部７の突出端（自由端）が当たり部４３と当接して、表示板５の上記逆方向への移動を阻止する。
従って表示板５は、フレーム４への装着により嵌め殺しとなってフレーム４から容易に外れない。
【００３４】
上記構成により、看板１の壁面ｍへの設置時、壁面ｍへ固定したベース部材３に対しフレーム４を保持させた後に、フレーム４を分解することなく、簡単に表示板５をフレーム４へ取り付けることができる。
また外片７１と内片７２の結合方向は逆鉤部７の起伏方向と同じ方向であり、逆鉤部７の弾力の作用方向は、側面部５１の厚み方向と一致する。このため、逆鉤部７を受容部４２内に収容した後は逆鉤部７の弾力性によって、外片７１と内片７２とは分離し難いものとなっている。
尚、クリップ６は、樹脂以外に弾力性を有する金属片にて形成してもよい。
【００３５】
（変更例）
図示した実施の形態において、クリップ６には外逆鉤部７１と内逆鉤部７２とが形成されたものを例示したが、クリップ６には外逆鉤部７１と内逆鉤部７２の何れか一方のみ形成するものとしてもよい。但し、外逆鉤部７１と内逆鉤部７２の双方を備えるものとするのが、表示板５のフレーム４に対するがたつきの防止により好ましい。
【００３６】
また、クリップ６の外片６１と内片６２とは、上記のように同じ形状に限定するものでなく、外片６１と内片６２とは異なる形状のものとしても実施できる。例えば、外片６１と内片６２の一方のみが突起６５を備え、外片６１と内片６２の他の一方のみが受け部６６を備えるものとしても実施できる。但し、外片６１と内片６２とを同じ形状とし部品を共通化することによって、製造工程やコストを低減することができる。
図示した実施の形態において受け部６６は、クリップ６の基片６４を貫通する穴としたが、この他受け部６６は上記基片６４を貫通しない凹部としても実施できる。
連結部６３は、上記突起６５及び受け部６６に代えて螺子と雌螺子穴としてもよくボルトとナットとしてもよい。連結部６３はピンと当該ピンを力嵌めされる穴や凹部とにて構成するものとしてもよい。
但し、上記の螺子やボルト、ピンなどでは、座面を提供する頭部を備えるものであるため、逆鉤部７を伏した状態としても、当該頭部の突出幅分クリップ４を嵩高なものとしてしまう。一方、連結部６３を上記突起６５と受け部６６にてクリップ４の上記嵩を抑えることができ、受容部４２内部を狭めることができる結果フレーム４の各部材をスリムなものとすることができる。
【００３７】
クリップ６において各基片６４の備える突起６６と受け部６６の数は夫々１つに限定するものではなく、２つ以上であってもよい。
図３及び図５へ示す例では、クリップ６は、表示板６の上側面部５１ａと下側面部５１ｂの夫々に、４つづつ設けられているがクリップ６の数は夫々４つに限定するものではなく、３個以下であっても５個以上であってもよい。また、上側面部５１ａと下側面部５１ｂとで、クリップ６の数は異なるものとしても実施できる。また、図３及び図５へ示す例では、クリップ６は、左側面部５１ｃと右側面部５１ｄには設けられていないが、左側面部５１ｃと右側面部５１ｄにも孔５２を設けてクリップ６を装着するものとしても実施できる。
【００３８】
また図示した実施の形態において、看板１は、クリップ６を備え、当該クリップ６が逆鉤部７を有するものとした。この他、看板１はクリップ６を備えず、逆鉤部７は、直接表示板５の側面部に設けられてもよい。但し、逆鉤部７を備えたクリップ６を用いるほうが、表示板５の成形を複雑なものとせず、設計の自由度の面で好ましい。
図示した実施の形態では、看板１の正面視において、表示板５及びフレーム４は矩形としたが、三角形や五角形以上の他の多角形としてもよいし、真円更に楕円形などの長円を含め円形としてもよい。また、表示板５及びフレーム５は他の曲線を輪郭とするものとしても実施できるし、直線と曲線を組み合わせた輪郭としても実施できる。表示板５はフレーム４に対して正面から嵌め込むことができるので、即ち従来のようにフレーム４の左右横方向から表示板５をフレーム４へ差し込む必要がないので、表示板５に矩形以外の形状を採用することができるのである。
【００３９】
横長の長方形である表示板５の長辺に対応するフレーム４の上横部材４１ａと下横部材４１ｂに合わせて、ベース部材３は、上ベース材３１と下ベース材３２の２本の棒材にて構成したものを図示したが、例えば表示板５を縦長の長方形とした場合表示板５の長辺に対応するフレーム４の左縦部材４１ｃと右縦部材４１ｄに合わせ、上ベース材３１と下ベース材３２に代え、ベース部材３を２本の縦に伸びる棒材即ち右ベース材と左ベース材の夫々にて構成してもよい。但し、表示板５を縦長の長方形とする場合も、ベース部材３を上ベース材３１と下ベース材３２の２本の棒材にて構成してもよい。
【００４０】
上述した表示板５の上側面部５１ａと左側面部５１ｃと下側面部５１ｂと右側面部５１ｄの夫々の後端は連続しない間欠的なものであってもよい。また、表示板５１ａの側面部５１の後端を間欠的なものとする場合も、フレーム４の上横部材４１ａと左横部材４１ｃと下横部材４１ｂと右横部材４１ｄの各溝は繋がったものとしてもよいが、当該間欠部分にのみ溝を設けるものとしてもよい。
また、上記の通り各溝を繋がったものとする場合と溝を不連続とする場合の何れにおいても、当たり部４３を上記溝に沿って連続的して突出するものとするのに限定するものではなく、当たり部４３は溝の伸びる方向について間欠的に形成されたものであってもよい。即ち、逆鉤部７の配置された部位にのみ当たり部４３を設けるものとしてもよい。
図示した実施の形態において、表示板５は延設部として上下左右の４つの側面部５１を有する箱状のものとした。この他、表示板５は、矩形の正面部５０の上辺と下辺のみ後方へ伸びる延設部を備えるものとしても実施でき、また矩形の正面部５０の左辺と右辺のみ後方へ伸びる延設部を備えるものとしても実施できる。
また、フレーム４は、アルミニウム以外の金属や樹脂その他の金属以外の材料にて形成するもでもよい。
【００４１】
本発明に係る看板１は、図示した壁面ｍに沿うものの他、建造物から突き出る突出看板であってもよいし、地上に置かれる自立式看板であってもよい。
前述のベース部材３がフレーム４を保持することにより表示板５がベース部材３の設けられた位置へ固定されるものを例示した（図２（Ｂ））。上記自立型看板などにおいては、ベース部材３を設けず、看板の側面や背面を提供する筐体がフレーム３を兼ねるものとしても実施できる。尚自立型の看板は片面にのみ表示板５を設けるものとしてもよいし、表裏両面に表示板５を設けるものとしてもよい。
【符号の説明】
【００４２】
１    看板
２    光源
３    ベース部材
４    フレーム
５    表示板
６    クリップ
７    逆鉤部
８    蝶番
３１  （ベース部材３の）上ベース材
３２  （ベース部材３の）下ベース材
４１ａ（フレーム４の）上横部材
４１ｂ（フレーム４の）下横部材
４１ｃ（フレーム４の）左縦部材
４１ｄ（フレーム４の）右縦部材
４２    受容部
４３    当たり部
４４    コーナー接続部材
４４ａ（コーナー接続部材４４の）コーナープロック
４４ｂ（コーナー接続部材４４の）横挿入部  
４４ｃ（コーナー接続部材４４の）縦挿入部  
４４ｄ（コーナー接続部材４４の）角枠構成部
４５  （フレーム４の）骨部
４６  （フレーム４の）受容部構成部
４７    取付部
４８    庇部
５０  （表示板５の）正面部
５１  （表示板５の）側面部（延設部）
５１ａ（表示板５の）上側面部
５１ｂ（表示板５の）下側面部
５１ｃ（表示板５の）左側面部
５１ｄ（表示板５の）右側面部
５２    孔  
６１  （クリップ６の）外片
６２  （クリップ６の）内片
６３  （クリップ６の）連結部
６４  （クリップ６の）基片
６５  （結合部６３の）突起
６６  （結合部６３の）受け部
７１    外逆鉤部
７２    内逆鉤部
ｍ  壁面
【図１】
2019105817.tif 000003
【図２】
2019105817.tif 000004
【図３】
2019105817.tif 000005
【図４】
2019105817.tif 000006
【図５】
2019105817.tif 000007
【図６】
2019105817.tif 000008
【図７】
2019105817.tif 000009
【図８】
2019105817.tif 000010
【図９】
2019105817.tif 000011
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
広告等の表示を有する樹脂製の表示板と、前記表示板が取り付けられるフレームとを備えた看板であって、
前記表示板は、前記表示を有する表示面を備え、
前記表示板は、前記表示面を前記表示板の正面とし前記表示板の裏面から後方へ延設された延設部を備えるものであり、
前記フレームは、前記延設部の少なくとも後端側を受容する受容部を正面に備え、
前記延設部の前記受容部へ受容される部位は、前記延設部の側面へ配置された１つ又は複数の逆鉤部を備え、
前記逆鉤部は、前記延設部の側面から突出する突出部であると共に前記側面に対し起伏可能な弾力性を有し、
前記受容部は、前記逆鉤部と当接することにて前記受容部へ差し込まれた前記延設部の脱落を阻止する当たり部を備え、
突出部である前記逆鉤部の突出端側は、前記受容部内にて前記逆鉤部の基端側よりも前記受容部の入口側に位置し、前記逆鉤部は前記受容部の奥側から前記受容部の入口側に向け前記延設部側面との間隔を漸次広げて斜めに突出する傾斜片であり、
前記当たり部は、逆鉤部の前記突出端と当接することにて前記延設部の脱落を阻止し、
前記表示板は、前記表示面を備える部位を正面部とし前記延設部を前記正面部の周縁全周から後方へ伸びる側面部とする、箱状のものであり、
前記延設部とは別体に形成され且つ前記延設部へ装着される１つ又は複数のクリップを備え、
前記クリップは、前記延設部の外側面に配置される外片と、前記延設部の内側面に配置される内片と、連結部とを備え、
前記逆鉤部は、前記外片と前記内片の少なくとも何れか一方へ形成されたものであり、
前記連結部が前記外片と前記内片とを連結するものである看板。
【請求項２】
前記受容部は、前記フレームの正面に設けられた溝であり、当該溝の縁が当該溝の奥よりも窄まることにて前記当たり部を形成しており、
前記延設部の前記受容部へ受容される部位は、前記逆鉤部として、前記外片へ設けられて前記延設部の外側面に配置された外逆鉤部と、前記内片へ設けられて前記延設部の内側面へ配置された内逆鉤部とを備え、
前記当たり部は、前記外逆鉤部と内逆鉤部の少なくとも一方の前記突出端と当接することにて前記延設部の脱落を阻止する請求項１記載の看板。
【請求項３】
前記フレームを保持するベース部材を備え、前記ベース部材が前記フレームを保持することにより前記表示板が前記ベース部材の設けられた位置へ固定されるものであり、
前記ベース部材の正面側には、光源が設けられ、
前記ベース部材の背面側は、建造物の壁面へ固定されるものであり、
前記表示板は、前記光源の光を透過するものであり、
前記外片と内片の夫々は、互いに別体に形成された板片であり、
前記板片は、前記延設部の側面へ沿う基片と、前記基片に連設されて前記延設部の側面から突出する前記逆鉤部とを備え、
前記連結部として前記基片には前記延設部の側面を臨む面から突出する突起と受け部とが形成されており、
前記受け部は、前記基片を貫通する穴又は基片の前記延設部を臨む面に設けられた凹部であり、
前記延設部は、内側面から外側面へ貫通する孔を、前記クリップの装着される各位置へ少なくとも２つずつ備え、
前記孔の一方へ外片の前記突起が通されて内片の前記受け部へ強制的に嵌められ、且つ、前記孔の他の一方へ内片の前記突起が通されて外片の前記受け部へ強制的に嵌められることにて、前記外片と前記内片とは連結され且つ前記クリップは前記延設部へ装着されたものであることを特徴とする請求項２記載の看板。